(57)【要約】【課題】本発明は、ケース内に設けた一対のソレノイドを用いて容器内の磁性体を直動させて検体を加振することにより、小型化することを目的とする。【解決手段】本発明によるソレノイドを用いた加振機構は、ケース(20)の内側に、一対のソレノイド(21,22)を設け、各ソレノイド(21,22)の内側に取付けた容器(28)内の磁性体(31)を往復直動することにより、検体(41)に磁性体(31)を衝突させて破砕する構成である。【選択図】図１
2005111358.tif 000002
【特許請求の範囲】
【請求項１】
筒状に形成されたケース(20)の内側にその軸方向に沿って互いに離間した状態で設けられた第１、第２ソレノイド(21,22)と、前記各ソレノイド(21,22)の内側に設けられた容器(28)と、前記容器(28)の底部(29)に設けられた質量体(30)と、前記容器(28)内に配設され前記各ソレノイド(21,22)のオン／オフにより移動自在な磁性体(31)とよりなり、前記容器(28)内の前記質量体(30)と磁性体(31)との間に検体(41)を収容し、前記各ソレノイド(21,22)のオン／オフによって前記磁性体(31)を前記検体(41)に衝突させるように構成したことを特徴とするソレノイドを用いた加振機構。
【請求項２】
前記容器(28)の入口開口(40)には、蓋(32)が設けられ、前記容器(28)は前記ケース(20)内に対して着脱自在であることを特徴とする請求項１記載のソレノイドを用いた加振機構。
【発明の詳細な説明】
【技術分野】
【０００１】
本発明は、ソレノイドを用いた加振機構に関し、特に、容器内の磁性体を一対のソレノイドを用いて移動させ、構造を簡略化して小型化するための新規な改良に関する。
【背景技術】
【０００２】
従来、用いられていたこの種の加振機構の往復直動機構としては、図２から図５で示されるクランク型、カム型、ねじ型及びチェーン型がある（非特許文献１参照）。
すなわち、図２のクランク型の場合、クランク円板１にロッド２を連結し、ロッド２の往復直動を用いていた。
また、図３のカム型の場合、回転溝カム３の溝４に従動体５を係合させ、この従動体５の往復動作を用いていた。
【０００３】
また、図４のねじ型の場合、ねじ６の回転によりガイドバー７上の移動体８を往復直動させて用いていた。
さらに、図５のチェーン型の場合、一対の歯車８、９に懸架されたチェーン１０の回転により上下動するピン１１の往復直動を用いていた。
【０００４】
【非特許文献１】昭和４３年１月１５日発行の「機械工学便覧」第７編第８章リンクおよびカムの欄
【発明の開示】
【発明が解決しようとする課題】
【０００５】
従来の加振機構の往復直動機構は、以上のように構成されていたため、次のような課題が存在していた。
すなわち、前述の図２のクランク型、図３のカム型、図４のねじ型、図５のチェーン型の何れの構成においても、回転運動を直線運動に変換するための変換機構を必要とするため、この変換機構の小型化には限度があり、小型化へのニーズに対して応じることは困難であった。
【課題を解決するための手段】
【０００６】
本発明によるソレノイドを用いた加振機構は、筒状に形成されたケースの内側にその軸方向に沿って互いに離間した状態で設けられた第１、第２ソレノイドと、前記各ソレノイドの内側に設けられた容器と、前記容器の底部に設けられた質量体と、前記容器内に配設され前記各ソレノイドのオン／オフにより移動自在な磁性体とよりなり、前記容器内の前記質量体と磁性体との間に検体を収容し、前記各ソレノイドのオン／オフによって前記磁性体を前記検体に衝突させるようにした構成であり、また、前記容器の入口開口には、蓋が設けられ、前記容器は前記ケース内に対して着脱自在とした構成である。
【発明の効果】
【０００７】
本発明によるソレノイドを用いた加振機構は、以上のように構成されているため、次のような効果を得ることができる。
すなわち、ケースに設けられた一対のソレノイドの内側に質量体と磁性体を有する容器を配設し、磁性体と質量体との間に検体を入れて各ソレノイドのオン／オフにより磁性体を往復させ、検体に衝突させて検体の加振及び破砕を行うため、加振機構自体が従来よりも大幅に小型化される。
【発明を実施するための最良の形態】
【０００８】
本発明は容器内の磁性体をソレノイドを用いて作動させて検体を粉砕させ、構造を簡略化することを目的とする。
【実施例】
【０００９】
以下、図面と共に本発明によるソレノイドを用いた加振機構の好適な実施の形態について説明する。
図１において符号２０で示されるものは筒状に形成されたケースであり、このケース２０内には、第１、第２ソレノイド２１，２２がこのケース２０の軸方向に沿って互いに離間した状態で形成されている。
【００１０】
前記第１、第２ソレノイド２１、２２は、分割板１００を介して互いに磁気的に分割された第１、第２励磁巻線２６、２６Ａによって構成されている。
【００１１】
前記各励磁巻線２６、２６Ａは、各ソレノイド２１、２２が別々にオン／オフできるように、図示しないスイッチング部を介して駆動回路（図示せず）に接続され、このスイッチング部によって励磁の周期、位相、及び極性を設定し、電圧を印加すると、各ソレノイド２１、２２を交互にオン、オフすることができるように構成されている。
【００１２】
前記各励磁巻線２６、２６Ａの内側の取付孔２７内には、全体形状が有底筒状すなわちカップ状に形成された樹脂製の容器２８が挿入して保持され、この容器２８内の底部２９には硬い金属等からなるブロック状の質量体３０が取付けられている。
【００１３】
前記容器２８内には、所要の大きさからなるブロック状の磁性体３１が矢印Ａの方向に沿って往復移動自在に内設され、前記各ソレノイド２１、２２を交互にオン／オフさせることにより、この磁性体３１は矢印Ａに沿って移動し、質量体３０に衝突することができるように構成されている。
【００１４】
次に、動作について述べる。まず、図１の状態で、取付孔２７内に挿入して装填された容器２８の蓋３２を除去し、容器２８の入口開口４０から磁性体３１をいったん取出し、加振もしくは破砕を行いたい所要の検体４１を投入して収容し、次に、前記磁性体３１を投入した後に蓋３２を入口開口４０に装着する。
【００１５】
前述の状態下で、前述のスイッチング部により周期と位相を設定し、電圧を巻線２６に印加すると、各ソレノイド２１、２２が所定の周期でオン／オフを繰り返し、矢印Ａの方向に沿って上下動又は往復移動するため、磁性体３１が検体４１に衝突すると共に、検体４１は磁性体３１と質量体３０に挟まれて破砕される。
【００１６】
前述の動作によって、検体４１に対する加振及び破砕等が完了すると、各ソレノイド２１、２２の作動を停止し、容器２８を取付孔２７から取り出し、蓋３２及び磁性体３１を除去することにより検体４１を容器２８から取出すことができる。
【産業上の利用可能性】
【００１７】
本発明は、液状又は溶融体の混合撹拌にも応用できる。
【図面の簡単な説明】
【００１８】
【図１】本発明によるソレノイドを用いた加振機構を示す断面図である。
【図２】従来構造の構成図である。
【図３】従来構造の構成図である。
【図４】従来構造の構成図である。
【図５】従来構造の構成図である。
【符号の説明】
【００１９】
２０    ケース
２１、２２    第１、第２ソレノイド
２６、２６Ａ    第１、第２励磁巻線
２８    容器
２９    底部
３０    質量体
３１    磁性体
３２    蓋
４０    入口開口
４１    検体
【図１】
2005111358.tif 000003
【図２】
2005111358.tif 000004
【図３】
2005111358.tif 000005
【図４】
2005111358.tif 000006
【図５】
2005111358.tif 000007